【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
以下を含む、複数の移動場所から１つの目的地へ複数の物質を輸送するための１つの方法：
最初の１つの移動場所、１つ以上の次の移動場所および１つの目的地への１つの経路を１つの配達業者に提供すること：
前記最初の移動場所で最初の１つの認証コードを１つの配達業者に提供すること；
前記最初の移動場所で１つの管理者に前記最初の認証コードを提示の時、前記配達業者に最初の１つの物質を移動すること；
１つ以上の次の移動場所で１つの次の認証コードを１つの配達業者に提供すること；
１つ以上の次の移動場所で１つの管理者に前記次の認証コードを提示の時、前記配達業者に１つの次の物質を移動すること；
前記目的地へ前記最初の物質および前記次の物質を輸送すること。
【請求項２】
１つの認証コードが前記１つ以上の次の場所のそれぞれで、前記配達業者に提供される、および、１つの次の物質が前記１つ以上の次の移動場所のそれぞれで、１つの管理者に前記次の認証コードを提示の時、前記配達業者に移動される、請求項１に記載の前記方法。
【請求項３】
さらに、１つの移動場所で前記認証コードの確認を含む、請求項１または２に記載の前記方法。
【請求項４】
さらに、前記移動場所のそれぞれで、前記認証コードの確認を含む、請求項１または２に記載の前記方法。
【請求項５】
さらに、１つの移動場所で前記配達業者の身元の確認を含む、請求項１または２に記載の前記方法。
【請求項６】
さらに、前記移動場所のそれぞれで、前記配達業者の身元の確認を含む、請求項１または２に記載の前記方法。
【請求項７】
さらに、１つの移動場所で前記管理者の身元の確認、前記物質を移動するために前記管理者の権限の確認、またはその両方を含む、請求項１または２に記載の前記方法。
【請求項８】
さらに、移動場所のそれぞれで、前記管理者の身元の確認、前記物質を移動するために前記管理者の権限の確認、または両方を含む、請求項１または２に記載の前記方法。
【請求項９】
さらに、１つの移動場所で、前記物質の同定、前記物質の信頼性の確認、前記物質の適正の確認、または１つのそれらの組み合わせを含む、請求項１または２に記載の前記方法。
【請求項１０】
さらに、移動場所のそれぞれで、前記物質の同定、前記物質の信頼性の確認、前記物質の適正の確認、または１つのそれらの組み合わせを含む、請求項１または２に記載の前記方法。
【請求項１１】
前記認証コードが前記移動場所より異なる１つ以上の遠隔場所から提供される、請求項１に記載の前記方法。
【手続補正２】
【補正対象書類名】明細書
【補正対象項目名】００９７
【補正方法】変更
【補正の内容】
【００９７】
この要旨は、以下の「発明の詳細な説明」で更に記載される、概念の選択を、単純化された形態での紹介するために提供されている。この要旨は、請求される対象の、主要な特性または本質的特性を特定することを意図していないし、請求される対象の範囲を限定することも意図していない。
本発明は、例えば、以下を提供する。
（項目１）
以下を含む、１つの配達業者に１つの認証コードを提供するための１つの方法：
１つの配達業者の存在を確認すること：
ｉ）    １つの指定の場所で、および
ｉｉ）  １つの指定の期間内の時間に；その後に
１つの認証コードを前記配達業者に提供すること。
（項目２）
以下を含む、１つの配達業者に１つの認証コードを提供するための１つの方法：
１つの配達業者の前記識別を確認すること；
前記配達業者の存在を確認すること：
ｉ）    １つの指定の場所で、および
ｉｉ）  １つの指定の期間内の時間に；その後に
１つの認証コードを前記配達業者に提供すること。
（項目３）
以下を含む、１つの移動場所で１つの管理者から１つの配達業者に１つの物質の移動を承認するための１つの方法：
以下の場合に１つの認証コードを前記配達業者に提供すること：
ｉ）    前記配達業者が前記移動場所に存在する、
ｉｉ）  前記物質の前記移動のために指定された期間内；および
前記移動場所で前記管理者へ前記認証コードを提示すること；
それにより、前記管理者から前記配達業者へ前記物質の移動が承認される。
（項目４）
さらに前記移動場所で前記認証コードの確認を含む、項目３に記載の前記方法。
（項目５）
前記認証コードが前記移動場所より異なる１つの遠隔場所から提供される、項目３に前記記載の方法。
（項目６）
以下を含む、１つの移動場所の１つの管理者から１つの配達業者へ１つの物質の移動を承認するための１つの方法：
以下の場合、１つの認証コードを前記配達業者に提供すること：
ｉ）    前記配達業者が前記移動場所に存在する、
ｉｉ）  前記物質の前記移動のために指定された期間内；
前記移動場所で前記管理者へ前記認証コードを提示すること；および
１つの適切な配達業者として前記配達業者を同定するのに効果的な配達業者識別情報を提示すること；
それにより、前記管理者から前記配達業者へ前記物質の移動が承認される。
（項目７）
さらに前記移動場所で前記認証コードの確認を含む、項目６に記載の前記方法。
（項目８）
前記認証コードが前記移動場所より異なる１つの遠隔場所から提供される、項目６に前記記載の方法。
（項目９）
さらに前記物質の同定を含む、前記物質の信頼性を確認する、またはその適正を確認する、項目１から８のいずれかに記載の前記方法。
（項目１０）
以下を含む物質の未承認移動防止のための１つの方法：
前記認証コードが１つの管理者によって提示され、前記配達業者が１つの配達業者の到着時間に前記移動場所に到着していた、前記移動場所で１つの管理者に１つの認証コードを提示すること；
前記認証コードの信頼性を確認できない、前記配達業者の身元を確認できない、１つの指定期間内の１つの時間である前記配達業者の到着時間の不履行、または１つのそれらの組み合わせ；および
前記配達業者へ前記物質の前記移動を防ぐこと、
それにより、物質の前記未承認の移動が防止される。
（項目１１）
以下を含む、物質の未承認の移動の防止のための１つの方法：
前記認証コードは１つの配達業者によって提示され、前記配達業者は１つの配達業者の到着時間に前記移動場所に到着した、前記移動場所に１つの配達業者に１つの認証コードを提示すること；
前記認証コードの信頼性を確認できない、前記配達業者の身元を確認できない、１つの指定期間内の１つの時間である前記配達業者の到着時間の不履行、または１つのそれらの組み合わせ；または
前記管理者の身元を確認できない、または前記物質を移動するために前記管理者の前記権限を確認できない；または
前記物質の同定、前記物質の信頼性の確認、またはその適正の確認ができない；および
前記配達業者へ前記物質の前記移動を防ぐこと、
それにより、物質の前記未承認の移転が防止される。
（項目１２）
以下を含む、１つの移動場所から１つの目的地へ１つの物質を輸送するための１つの方法：
１つの移動場所および１つの目的地への１つの経路を１つの配達業者に提供すること；
前記移動場所で１つの認証コードを１つの配達業者に提供すること；
前記移動場所で１つの管理者に前記認証コードを提示の時、前記配達業者へ１つの物質を移動すること；および
前記目的へ前記物質地を輸送すること。
（項目１３）
さらに、前記認証コードの確認を含む、項目１２に記載の前記方法。
（項目１４）
さらに、前記配達業者の身元の確認を含む、項目１２に記載の前記方法。
（項目１５）
さらに、前記管理者の身元の確認、前記物質を移動するために前記管理者の権限を確認、またはその両方を含む、項目１２に記載の前記方法。
（項目１６）
さらに、前記物質の同定を含む、前記物質の信頼性を確認する、前記物質の適正を確認する、または１つのそれらの組み合わせの、項目１２に記載の前記方法。
（項目１７）
前記認証コードは、前記移動場所より異なる１つの遠隔場所から提供される、項目１２に記載の前記方法。
（項目１８）
以下を含む、複数の移動場所から１つの目的地へ複数の物質を輸送するための１つの方法：
最初の１つの移動場所、１つ以上の次の移動場所および１つの目的地への１つの経路を１つの配達業者に提供すること：
前記最初の移動場所で最初の１つの認証コードを１つの配達業者に提供すること；
前記最初の移動場所で１つの管理者に前記最初の認証コードを提示の時、前記配達業者に最初の１つの物質を移動すること；
１つ以上の次の移動場所で１つの次の認証コードを１つの配達業者に提供すること；
１つ以上の次の移動場所で１つの管理者に前記次の認証コードを提示の時、前記配達業者に１つの次の物質を移動すること；
前記目的地へ前記最初の物質および前記次の物質を輸送すること。
（項目１９）
１つの認証コードが前記１つ以上の次の場所のそれぞれで、前記配達業者に提供される、および、１つの次の物質が前記１つ以上の次の移動場所のそれぞれで、１つの管理者に前記次の認証コードを提示の時、前記配達業者に移動される、項目１８に記載の前記方法。
（項目２０）
さらに、１つの移動場所で前記認証コードの確認を含む、項目１８または１９に記載の前記方法。
（項目２１）
さらに、前記移動場所のそれぞれで、前記認証コードの確認を含む、項目１８または１９に記載の前記方法。
（項目２２）
さらに、１つの移動場所で前記配達業者の身元の確認を含む、項目１８または１９に記載の前記方法。
（項目２３）
さらに、前記移動場所のそれぞれで、前記配達業者の身元の確認を含む、項目１８または１９に記載の前記方法。
（項目２４）
さらに、１つの移動場所で前記管理者の身元の確認、前記物質を移動するために前記管理者の権限の確認、またはその両方を含む、項目１８または１９に記載の前記方法。
（項目２５）
さらに、移動場所のそれぞれで、前記管理者の身元の確認、前記物質を移動するために前記管理者の権限の確認、または両方を含む、項目１８または１９に記載の前記方法。
（項目２６）
さらに、１つの移動場所で、前記物質の同定、前記物質の信頼性の確認、前記物質の適正の確認、または１つのそれらの組み合わせを含む、項目１８または１９に記載の前記方法。
（項目２７）
さらに、移動場所のそれぞれで、前記物質の同定、前記物質の信頼性の確認、前記物質の適正の確認、または１つのそれらの組み合わせを含む、項目１８または１９に記載の前記方法。
（項目２８）
前記認証コードが前記移動場所より異なる１つ以上の遠隔場所から提供される、項目１８に記載の前記方法。
（項目２９）
以下を含む、１つの移動場所から複数の目的地に複数の物質を輸送する１つの方法：
前記複数の目的地は最初の１つの目的地および１つ以上の次の目的地を含む、１つの移動場所、および、複数の目的地へ１つの経路を１つの配達業者に提供すること：
前記移動場所で１つの認証コードを１つの配達業者に提供すること：
前記複数の物質が最初の１つの目的地に配達される１つの最初の物質、および１つ以上の次の目的地に配達される１つ以上の次の物質を含む、前記移動場所で１つの管理者に前記認証コードの提示の時、前記配達業者へ前記複数の物質を移動すること；
前記最初の目的地に前記最初の物質を輸送すること；および
前記次の目的地のそれぞれに前記次の物質のそれぞれを輸送すること。
（項目３０）
さらに、前記移動場所で前記認証コードの確認を含む、項目２９に記載の前記方法。
（項目３１）
さらに、前記移動場所で前記配達業者の身元の確認を含む、項目２９に記載の前記方法。
（項目３２）
さらに、前記管理者の身元の確認、前記物質を移動するために前記管理者の権限の確認、またはその両方を含む、項目２９に記載の前記方法。
（項目３３）
さらに、前記物質の同定、前記物質の信頼性の確認、前記物質の適正の確認または１つのそれらの組み合わせを含む、項目２９に記載の前記方法。
（項目３４）
前記認証コードが前記移動場所より異なる１つの遠隔場所から提供される、項目２９に記載の前記方法。
（項目３５）
以下を含む、複数の移動場所から複数の目的地へ複数の物質を輸送するための１つの方法：
最初の１つの移動場所、１つ以上の次の移動場所、最初の１つの目的地、および１つ以上の次の目的地へ１つの経路を１つの配達業者に提供すること；
前記最初の移動場所で最初の１つの認証コードを１つの配達業者に提供すること；
前記最初の物質が最初の１つの目的地および１つ以上の次の目的地移動へ輸送されるための１つの物質または複数の物質を含む、前記最初の移動場所へ１つの管理者に前記最初の認証コードを提示する時、前記配達業者へ前記最初の物質を移動すること；
１つ以上の次の移動場所で１つの次の認証コードを１つの配達業者に提供すること；
前記次の物質が最初の１つの目的地、または１つ以上の次の目的地へ輸送されるための１つの物質または複数の物質を含む、１つ以上の複数の移動場所で１つ管理者に前記次の認証コードを提示する時、前記配達業者へ１つの次の物質または複数の物質を移動すること；および
前記最初の目的地へ、または前記最初の目的地および前記次の目的地へ、または複数の目的地へ前記物質を輸送すること。
（項目３６）
１つの認証コードが前記１つ以上の次の場所のそれぞれで、前記配達業者に提供される、および、１つの次の物質または複数の物質が、前記１つ以上の次の移動場所のそれぞれで、１つの管理者に前記次の認証コードを提示する時、前記配達業者に移動される、項目３５に記載の前記方法。
（項目３７）
さらに、１つの移動場所で、前記認証コードの確認を含む、項目３５または３６に記載の前記方法。
（項目３８）
さらに、前記移動場所のそれぞれで、前記認証コードの確認を含む、項目３５または３６に記載の前記方法。
（項目３９）
さらに、１つの移動場所で、前記配達業者の身元の確認を含む、項目３５または３６に記載の前記方法。
（項目４０）
さらに、前記移動場所のそれぞれで、前記配達業者の身元の確認を含む、項目３５または３６に記載の前記方法。
（項目４１）
さらに、１つの移動場所で、前記管理者の身元の確認、前記物質を移動するために前記管理者の権限の確認、またはその両方を含む、項目３５または３６に記載の前記方法。
（項目４２）
さらに、移動場所のそれぞれで、前記管理者の身元の確認、前記物質を移動するために前記管理者の権限の確認、またはその両方を含む、項目３５または３６に記載の前記方法。
（項目４３）
さらに、１つの移動場所で、前記物質の同定、前記物質の信頼性の確認、前記物質の適正の確認、または１つのそれらの組み合わせを含む、項目３５または３６に記載の前記方法。
（項目４４）
さらに、移動場所のそれぞれで、前記物質の同定、前記物質の信頼性の確認、前記物質の適正の確認、または１つのそれらの組み合わせを含む、項目３５または３６に記載の前記方法。
（項目４５）
前記認証コードは、前記移動場所より異なる１つ以上の遠隔場所から提供される、項目３５または３６に記載の前記方法。
（項目４６）
前記認証コードが、暗号化された認証コードとして、配達業者に提供される、項目１〜４５のいずれかに記載の方法。
（項目４７）
前記認証コードは、視覚コード、数字コード、英字コード、英数字コード、記号コード、音声コード、電気コード、磁気コード、電磁コード、機械コード、およびそれらの組み合わせのグループから選択された１つのコードまたは複数のコードを含む、項目１から４６のいずれかに記載の前記方法。
（項目４８）
前記認証コードが複数のコードを含み、前記複数のコードは１つ以上のコードの種類を含む、項目１から４７のいずれかに記載の前記方法。
（項目４９）
前記物質は、１つ以上の現金、有価証券、宝石、芸術品、または収集品を含む、項目１から４８のいずれかに記載の前記方法。
（項目５０）
前記物質は、生物的物質、腐敗しやすい物質、貴重な物質、稀な物質、および危険物質から選択される物質を含む、項目１から４８のいずれかに記載の前記方法。
（項目５１）
前記物質は生物的物質を含む、項目１から４８のいずれかに記載の前記方法。
（項目５２）
前記物質は１つの生物的サンプルを含む、項目１から４８のいずれかに記載の前記方法。
（項目５３）
前記物質は、１つの臓器、血液、血清、血漿、唾液、尿、涙、胃液、脊髄液、糞便、粘液、汗、耳垢、油、腺分泌物、脳脊髄液、組織、精液、膣分泌液、息、髪、爪、皮膚、生検組織、胎盤液、羊水、臍帯血、骨髄、リンパ液、体腔液、粘液、膿、１つの対象から収集された微生物、胎便、母乳、鼻の拭い液からの物質、鼻咽頭洗浄液からの物質、喉の拭い液からの物質、頬の拭い液からの物質、および／または、他の体の分泌物または排出物から選択される１つの生物的物質を含む、項目１から４８のいずれかに記載の前記方法。
（項目５４）
前記物質は１つの血液サンプルを含む、項目１から４８のいずれかに記載の前記方法。
（項目５５）
前記物質は１つの尿サンプルを含む、項目１から４８のいずれかに記載の前記方法。
（項目５６）
前記物質は患者一人の移植のための１つの臓器を含む、項目１から４８のいずれかに記載の前記方法。
（項目５７）
前記物質は１つの臨床検体を含む、項目１から４８のいずれかに記載の前記方法。
（項目５８）
１つの配達業者の前記場所は、自動または遠隔方法によって決定される、項目１から４８のいずれかに記載の前記方法。
（項目５９）
１つの配達業者の前記場所は、衛星測位システムの使用を含む方法によって決定される、項目１から４８のいずれかに記載の前記方法。
（項目６０）
１つの格納装置、１つの蓋、１つの温度センサー、および１つの通信リンクを含む１つの輸送コンテナ。
（項目６１）
前記通信リンクは、１つ以上のディスプレイ、１つのワイヤレスリンク、１つのブルートゥースリンク、１つのイーサネット（登録商標）リンク、１つのシリアルリンク、１つの電話リンク、および１つの赤外線通信リンクを含む、項目６０に記載の前記輸送コンテナ。
（項目６２）
前記格納装置は熱遮断を含む、項目６０に記載の前記輸送コンテナ。
（項目６３）
前記蓋は、前記格納装置を密閉するよう構成されており、前記密閉は、１つの水密閉または１つの気密閉を含む、項目６０に記載の前記輸送コンテナ。
（項目６４）
以下を含む、物質の前記輸送のための１つの方法：
前記輸送コンテナ１つの温度センサー、および１つの感知した温度を通信するための１つの通信リンクまたは１つのディスプレイを含む、１つの輸送コンテナにひとつの物質を配置すること；
前記輸送コンテナに前記物質を輸送すること；
１つの温度を感知すること；および
前記感知した温度を表示すること、前記通信リンクによって前記感知した温度を通信すること、またはその両方。
（項目６５）
前記物質の輸送は、１つの配達業者によって輸送を含み、前記物質は１つの管理者に１つの認証コードを提示する時、前記配達業者に移動された、項目６４に記載の前記方法。
（項目６６）
以下を含む、１つの目的地に１つの経路に沿って物質の前記輸送のための１つの方法：
前記輸送コンテナ１つの温度センサー、および１つの感知した温度を通信するための１つのディスプレイまたは通信リンクを含む、１つの輸送コンテナにひとつの物質を配置すること；
前記輸送コンテナに前記物質を輸送すること；
１つの温度を感知すること；
前記感知した温度が１つのアラーム限界を超える時、１つの警報を通信すること；および
前記目的地へ前記経路を変更すること。
（項目６７）
前記物質の輸送は、１つの配達業者によって輸送を含み、前記物質は１つの管理者に１つの認証コードを提示する時、前記配達業者に移動された、項目６６に記載の前記方法。
（項目６８）
前記警報は１つのディスプレイに表示される、項目６６または６７に記載の前記方法。
（項目６９）
前記警報は１つのディスプレイに表示され、前記表示される警報は１つの配達業者によって観察される、項目６７に記載の前記方法。
（項目７０）
前記警報は１つの通信リンクによって通信される、項目６６または６７に記載の前記方法。
（項目７１）
前記通信リンクは一人のオペレーターによって監視され、前記リンクによって通信される前記警報は、前記オペレーターによって観察される、項目７０に記載の前記方法。
（項目７２）
前記アラーム限界は前記輸送コンテナの前記物質によって決定される、項目６６に記載の前記方法。
（項目７３）
前記アラーム限界は１つ以上の物質の前記種類によって；前記物質の状態によって；前記物質の収集からの前記時間によって；前記物質が獲得された前記方法によって；前記物質が準備された前記方法によって；または、１つのそれらの組み合わせによって、決定される、項目６６に記載の前記方法。
（項目７４）
１つの格納装置、１つの蓋、および１つの光センサーを含む、１つの温度管理された貯蔵コンテナ。
（項目７５）
１つの格納装置、１つの蓋、一つの温度センサー、および１つの光センサーを含む、１つの温度管理された貯蔵コンテナ。
（項目７６）
１つの格納装置、１つの入り口、一つの温度センサー、１つの光センサーおよび１つの通信リンクを含む、１つの温度管理された貯蔵コンテナ。
（項目７７）
１つの格納装置、１つの入り口、１つの光センサーおよび１つの記憶構成要素を含む、１つの温度管理された貯蔵コンテナ。
（項目７８）
１つの格納装置、１つの入り口、１つの温度センサー、１つの光センサーおよび１つの記憶構成要素を含む、１つの温度管理された貯蔵コンテナ。
（項目７９）
１つの格納装置、１つの入り口、１つの通信リンク、１つの光センサーおよび１つの記憶構成要素を含む、１つの温度管理された貯蔵コンテナ。
（項目８０）
１つの格納装置、１つの入り口、１つの温度センサー、１つの光センサー、１つの通信リンク、および１つの記憶構成要素を含む、１つの温度管理された貯蔵コンテナ。
（項目８１）
前記記憶要素は、磁気記憶、揮発性記憶、不揮発性記憶、固体記憶、バブル記憶、および他の記憶装置から選択される、項目７７から８０に記載の温度管理された貯蔵コンテナ。
（項目８２）
前記通信リンクは、１つ以上のディスプレイ、１つのワイヤレスリンク、１つのブルートゥースリンク、１つのイーサネット（登録商標）リンク、１つのシリアルリンク、１つの電話リンク、および１つの赤外線通信リンクを含む、項目７６、７９、または８０に記載の前記温度管理された貯蔵コンテナ。
（項目８３）
前記入り口が閉じた構成にある時、前記入り口は前記コンテナの光の進入を軽減するまたは排除するように構成される、および、前記光センサーは、前記入り口がいかなる量によって開いている時、光を感知するよう構成される、項目７４から８２のいずれかに記載の温度管理された貯蔵コンテナ。
（項目８４）
前記入り口は前記格納装置を密閉するように構成されており、前記密閉は、１つ以上の水密閉、１つの気密閉、および光密閉を含む項目７４から８２のいずれかに記載の温度管理された貯蔵コンテナ。
（項目８５）
以下を含む、１つの物質の前記貯蔵のための１つの方法：
１つの貯蔵コンテナは、１つの内部空間、前記内部空間へのアクセスを提供し、開くよう構成される１つの入り口、前記内部空間内の１つの照度を感知するよう構成される前記貯蔵コンテナ内の１つの光センサー、および１つの感知した照度を通信するための１つの通信リンクを含む、前記貯蔵コンテナに１つの物質を配置すること；
前記貯蔵コンテナ内の１つの照度を感知すること；および
前記感知した照度を通信すること。
（項目８６）
前記通信リンクは、１つのディスプレイ、１つのブルートゥース接続、ユニバーサルシリアルバス（ＵＳＢ）接続、ファイアワイヤ接続、イーサネット（登録商標）接続、携帯電話接続、ＷｉＦｉ接続および他の無線接続から選択される、項目８５に記載の前記方法。
（項目８７）
前記照度は、一人のオペレーターに通信され、前記オペレーターは、一人の現地オペレーターおよび一人の遠隔オペレーターから選択される、項目８５に記載の前記方法。
（項目８８）
前記感知された照度の前記通信は、前記照度が要求範囲外である時、１つの警報の通信を含む、項目８５に記載の前記方法。
（項目８９）
前記照度が１つのアラーム限界を超える時、前記警報が通信される、項目８８に記載の前記方法。
（項目９０）
前記照度が少なくとも最低期間で１つのアラーム限界を超える時、前記警報が通信される、項目８８に記載の前記方法。
（項目９１）
以下を含む、１つの物質の前記貯蔵のための１つの方法：
１つの貯蔵コンテナは、１つの内部空間、前記内部空間へのアクセスを提供し、開くよう構成される１つの入り口、前記貯蔵コンテナ内の前記内部空間の１つの照度を感知するよう構成される前記貯蔵コンテナ内の１つの光センサー、１つの感知した照度を記録するよう構成される１つの記憶構成要素、および１つの感知した照度を通信するための１つの通信リンクを含む、前記貯蔵コンテナに１つの物質を配置すること；
前記貯蔵コンテナ内の１つの照度を感知すること；
前記記憶の前記感知した照度を記録すること。
（項目９２）
さらに、前記記録された照度の通信を含む、項目９１に記載の前記方法。
（項目９３）
前記記録は、対応している複数の記録時間に複数の照度のそれぞれの記録を含む、項目９１に記載の前記方法。
（項目９４）
前記通信は、複数の前記記録された照度の通信を含む、前項目９２に記載の前記方法。
（項目９５）
前記通信は、１つの記録された照度から、または、複数の前記記録された照度から得られた１つの値の通信を含む、前項目９２に記載の前記方法。
（項目９６）
さらに、一人のオペレーターによる前記通信の監視を含む、項目９２または９５に記載の前記方法。
（項目９７）
前記監視は、継続的監視および断続的監視から選択される、前項目９６に記載の前記方法。
（項目９８）
前記監視は、１つの期間によって分けられた最初の１つの時間、および少なくとも２番目の１つの時間、前記最初および２番目の時間に監視することを含む前記記録された照度の断続的な監視を含み、前記記録された照度は、前記最初および２番目の時間の間の前記期間の前記貯蔵コンテナ内に照度の１つの効果的な記録を提供する、前項目９６に記載の前記方法。
（項目９９）
前記照度は、一人のオペレーターに通信され、前記オペレーターは、一人の現地オペレーターおよび一人の遠隔オペレーターから選択される、項目９１から９８のいずれかに記載の前記方法。
（項目１００）
前記感知された照度の前記通信は、前記照度が要求範囲外である時、１つの警報の通信を含む、項目９９に記載の前記方法。
（項目１０１）
前記照度が１つのアラーム限界を超える時、前記警報が通信される、項目１００に記載の前記方法。
（項目１０２）
前記照度が少なくとも最低期間で１つのアラーム限界を超える時、前記警報が通信される、項目１０１に記載の前記方法。
（項目１０３）
以下を含む、１つの移動場所から１つの目的地へ１つの物質を輸送するための１つの方法：
１つの移動場所および１つの目的地への１つの経路を１つの配達業者に提供すること；
前記移動場所に１つの認証コードを１つの配達業者に提供すること；
前記認証コードを確認すること；
前記配達業者の前記身元を確認すること；
前記移動場所で１つの管理者に前記認証コードを提示する時、前記配達業者へ１つの物質を移動すること；および
前記目的地へ前記物質を輸送すること。
（項目１０４）
さらに、前記管理者の前記身元の確認、前記物質を移動するために前記管理者の前記権限の確認、またはその両方を含む、項目１０３に記載の前記方法。
（項目１０５）
さらに、前記物質の同定、前記物質の信頼性の確認、前記物質の適正の確認、または１つのそれらの組み合わせを含む、項目１０３または１０４に記載の前記方法。
（項目１０６）
前記認証コードは、前記移動場所より異なる１つの遠隔場所から提供される、項目１０３、１０４、または１０５に記載の前記方法。
（項目１０７）
以下を含む、複数の移動場所から１つの目的地へ複数の物質を輸送するための、１つの方法：
最初の１つの移動場所、１つ以上の次の移動場所、および１つの目的地への１つの経路を１つの配達業者に提供すること；
前記最初の移動場所で最初の１つの認証コードを１つの配達業者に提供すること；
前記最初の移動場所で前記認証コードを確認すること；
前記最初の移動場所で前記配達業者の前記身元を確認すること；
前記最初の移動場所で前記管理者によって前記最初の認証コードの確認および前記配達業者の前記身元の確認の時、前記配達業者に最初の１つの物質を移動すること；
前記一つ以上の次の移動場所のそれぞれで、１つの次の認証コードを１つの配達業者に提供すること；
前記次の移動場所のそれぞれで、前記認証コードを確認すること；
前記次の移動場所のそれぞれで、前記配達業者の前記身元を確認すること；
前記１つ以上の次の移動場所のそれぞれで、１つの管理者によって、１つ以上の次の認証コードの確認、および前記配達業者の前記身元の確認の時、前記配達業者に１つの次の物質を移動すること；および
前記目的地へ前記最初の物質および前記次の物質を移動すること。
（項目１０８）
さらに、それぞれの移動場所で、前記管理者の前記身元の確認、前記物質を移動するために前記管理者の権限の確認、前記物質の同定、前記物質の信頼性の確認、前記物質、管理者の適正の確認、または１つのそれらの組み合わせを含む、項目１０７に記載の前記方法。
（項目１０９）
前記認証コードは、前記移動場所より異なる１つ以上の遠隔場所から提供される、項目１０７または１０８に記載の前記方法。
（項目１１０）
以下を含む、１つの輸送場所から複数の目的地へ複数の物質を輸送する１つの方法：
前記複数の目的地は、最初の１つの目的地および一つ以上の次の目的地を含む、１つの移動場所および複数の目的地への１つの経路を１つの配達業者に提供すること；
前記移動場所で１つの認証コードを１つの配達業者に提供すること；
前記移動場所で前記認証コードを確認すること；
前記移動場所で前記配達業者の前記身元を確認すること；
前記複数の物質は、最初の１つの目的地へ配達されるための最初の１つの物質、および、１つ以上の次の目的地へ配達されるための１つ以上の次の物質を含む、前記移動場所で、１つの管理者による前記認証コードの確認および前記配達業者の前記身元の時、前記配達業者に前記複数の物質を移動すること；
前記最初の目的地に前記最初の物質を輸送すること；および
前記次の目的地のそれぞれでに前記次の物質のそれぞれを輸送すること。
（項目１１１）
さらに、前記管理者の前記身元の確認、前記物質を移動するために前記管理者の権限の確認、前記物質の同定、前記物質の信頼性の確認、前記物質の適正の確認、または１つのそれらの組みませを含む、項目１１０に記載の前記方法。
（項目１１２）
前記認証コードは、前記移動場所より異なる１つの遠隔場所から提供される、項目１１０または１１１に記載の前記方法。
（項目１１３）
以下を含む、複数の移動場所から複数の目的地へ複数の物質を輸送するための１つの方法：
最初の１つの移動場所、一つ以上の次の移動場所、最初の１つの目的地、および一つ以上の次の目的地への１つの経路を１つの配達業者に提供すること；
前記最初の移動場所で最初の１つの認証コードを１つの配達業者に提供すること；
前記最初の移動場所で前記最初の認証コードを確認すること；
前記最初の移動場所で前記配達業者の前記身元を確認すること；
前記最初の物質は、最初の１つの目的地へ、または最初の１つの目的地および一つ以上の次の目的地へ輸送されるための１つの物質または複数の物質を含む、前記最初の移動場所で、１つの管理者による前記最初の認証コードの確認および前記配達業者の前記身元の時、前記配達業者へ前記最初の物質を移動する；
前記一つ以上の次の移動場所のそれぞれで、前記次の移動場所に対応する１つの次の認証コードを１つの配達業者に提供すること；
前記次の移動場所のそれぞれで、前記認証コードを確認すること；
前記次の移動場所のそれぞれで、前記配達業者の前記身元確を認すること；
前記次の物質移動は、最初の１つの目的地へ、または、最初の１つの目的地および一つ以上の次の目的地へ、輸送するための１つの物質または複数の物質を含む、前記１つ以上の次の移動場所のそれぞれで、前記次の移動場所に対応する前記次の認証コードの確認および１つの管理者による前記配達業者の前記身元の確認の時、前記配達業者に１つの次の物質、または複数の物質を移動すること；および、
前記最初の目的地へ、または、前記最初の目的地および前記一つ以上の次の目的地へ、１つの物質または複数の物質を輸送すること。
（項目１１４）
さらに、それぞれの移動場所で、前記管理者の前記身元、前記物質を移動するために前記管理者の権限の確認、前記物質の同定、前記物質の信頼性の確認、前記物質の適正の確認、または１つのそれらの組み合わせを含む、項目１１３に記載の前記方法。
（項目１１５）
前記認証コードは、前記移動場所より異なる１つ以上の遠隔場所から提供される、項目１１３または１１４に記載の前記方法。
（項目１１６）
１つの配達業者に提供される前記認証コードは、１つの暗号化認証コードを含む、項目１０３から１１５のいずれかに記載の前記方法。
（項目１１７）
前記物質は、生物的物質、腐敗しやすい物質、貴重な物質、稀な物質、および危険物質から選択される物質を含む、項目１０３から１１６のいずれかに記載の前記方法。
（項目１１８）
前記物質は、１つの臓器、１つの臓器の一部分、血液、血清、血漿、唾液、尿、涙、胃液、脊髄液、糞便、粘液、汗、耳垢、油、腺分泌物、脳脊髄液、組織、精液、膣分泌液、息、髪、爪、皮膚、生検組織、胎盤液、羊水、臍帯血、骨髄、リンパ液、体腔液、粘液、膿、１つの対象から収集された微生物、胎便、母乳、鼻の拭い液からの物質、鼻咽頭洗浄液からの物質、喉の拭い液からの物質、頬の拭い液からの物質、および／または、他の体の分泌物または排出物から選択される１つの生物的物質を含む、項目１０３から１１７のいずれかに記載の前記方法。
（項目１１９）
１つの配達業者の前記場所は、衛星測位システム、または、他の自動または遠隔方法の使用によって決定される、項目１０３から１１８のいずれかに記載の前記方法。